(57)【要約】【課題】特に雨天時等において炊事作業やその他の各種作業を行なうのに便利であり、必要に応じてトイレ場等を確保することも出来るエアテントを提供する。【解決手段】一対のエアテント１の出入り口部６を所定間隔で向き合った状態で設置し、各エアテント１の対向面上部の骨格４に対応する個所に係止具８を設けるとともに、各係止具８に突っ張り棒２の連結具９を引掛けて連結する。また、エアテント１の対向面の周縁端部にファスナー等の接続具７ａを取り付け、この接続具７ａにフード３の接続具７ｂを接続することで、フード３で囲まれる空間部を作業場等Ｓとする。この際、突っ張り棒２によってフード３にテンションがかかってもエアテント１の上部が内側に倒れ込まないようにする。【選択図】      図１
2004162397.tif 000002
【特許請求の範囲】
【請求項１】
前後方向の出入り口部が所定間隔で向き合った状態で設置される一対のエアテントと、各エアテントの対向面上部の骨格部分に張り渡される突っ張り棒と、各エアテントの所定箇所に接続自在となり且つ各エアテント間に挟まれる空間部の少なくとも上部を覆うことにより、覆われた領域を作業場等とすることの出来るフードを備えたことを特徴とする作業場等を有するエアテント。
【請求項２】
前記各エアテントとフードの接続部は、各エアテントの対向面の周縁端部付近に設定されることを特徴とする請求項１に記載の作業場等を有するエアテント。
【発明の詳細な説明】
【０００１】
【発明の属する技術分野】
本発明は、例えば雨天等において炊事作業等の各種作業を行ったり、トイレ場として利用したりすれば便利な作業場等を有するエアテントに関する。
【０００２】
【従来の技術】
従来、例えば災害の救助活動等に使用される大型のエアテントにおいて、雨天等の際に炊事作業やその他の作業を行う必要がある場合には、例えばテント内で作業をしたり、またはテントに近い雨の影響を受けない場所を選定して作業したりすることが多い。
一方、独立するテントを連結することにより、雨天等において濡れないで自由にテント間を行き来できるようにした技術が知られており、例えば蒲鉾型エアハウス（エアテント）の曲面を呈する側面と垂直面を呈する前面または後面を対面させるか、または曲面を呈する側面同士を対面させ、各テントの出入り口をスライドファスナーを介して連結幌で連結するような連結型エアハウスが知られている。（例えば、特許文献１参照。）。
また、テント自体にスライドファスナー等の縫製部を設けると、防水性を低下させることから、テント内への雨水の浸入を防止しつつ雨天時のテント間の移動を容易にするため、テントに被せられるフライシートに接続開口部を形成し、接続開口部同士を接続部材により接続することで、隣接するテント間に外界より区画された空間部を形成するような技術も知られている。（例えば、特許文献２参照。）。
【０００３】
【特許文献１】
特開平１１−１３１８６８号公報
【特許文献２】
特開平１０−０３７５３５号公報
【０００４】
【発明が解決しようとする課題】
ところが、テント内で炊事作業やその他の作業を行う場合、火の取扱いに危険性を伴ったり、煙がテント内に充満したり、他人の邪魔になったりする等の問題があり、また、長期間露営する場合には、トイレ等の設備が必要になることもあった。
一方、前記特許文献１や特許文献２の場合は、テントとテントを繋ぐ通路は確保されるものの、この通路内で炊事や各種作業を行ったりすることは困難であった。
【０００５】
そこで本発明は、特に雨天時等において炊事作業やその他の各種作業を行なうのに便利であり、また、必要に応じてトイレ場等を確保することも出来るエアテントを提供することを目的とする。
【０００６】
【課題を解決するための手段】
上記目的を達成するため本発明は、前後方向の出入り口部が所定間隔で向き合った状態で設置される一対のエアテントと、各エアテントの対向面上部の骨格部分に張り渡される突っ張り棒と、各エアテントの所定箇所に接続自在となり且つ各エアテント間に挟まれる空間部の少なくとも上部を覆うことにより、覆われた領域を作業場等とすることの出来るフードを設けるようにした。
【０００７】
このように、一対のエアテント間の空間部を作業場等とし、この空間部の少なくとも上方をフードで覆うようにすれば、両方のエアテントの出入り口から濡れることなく作業場等に出入りすることが可能で、またフードの下方の作業場等で濡れることなく作業等をすることが出来る。
そして、作業場等としては、例えば炊事作業やその他の各種作業やトイレ場等として利用することが可能である。
【０００８】
ここで、エアテントの対向面上部の骨格部分に突っ張り棒を張り渡すのは、単にテントの天幕間にフードだけを接続すると、フードにテンションがかかった場合に、エアテントの対向面上部が内側に倒れるように変形するため、この変形を防止するためである。
また、突っ張り棒を伸縮自在な棒とすることによって、作業場等の領域を自由に変えることが可能となる。伸縮自在な棒の構造としては、特に限定されるものではないが、例えば複数種類の径のパイプを組合せ、大きな径のパイプの中に小さい径のパイプをスライド自在に収納し、小さなパイプを出す長さを調整可能にすることで、突っ張り棒の長さを変更させるような構造が採用出来る。
【０００９】
また、フードとしては、作業場等の領域の周囲全域を覆うようなものでも良く、側面の一部等を開放するようにしたものでも良い。特に、煙やいやな臭いを伴う作業等では、側面の一部を開放すれば、煙や臭い等が排気されるため好ましい。この際、周囲全域を覆うことが出来る形態にしておき、必要に応じて側面の一部を巻上げる等により開放出来るようにしておけば好ましい。その際、巻き上げたフードを固定するための固定具（例えばベルト等）を設けておくことにより、フードを巻き上げた状態で固定することが出来る。
ここで、テントとフードを接続するための接続構造としては、例えばファスナや、面ファスナや、その他任意の手段が採用出来る。
【００１０】
また本発明では、前記各エアテントとフードの接続部を、各エアテントの対向面の周縁端部付近に設定するようにした。
【００１１】
このように、エアテントとフードの接続部を、各エアテントの対向面の周縁端部付近に設定すれば、フードにテンションがかかっても骨格によってしっかりと支えることが出来る。
これに対して、例えば骨格から離れた対向面の天幕部分等を接続部にすれば、フードにテンションがかかった場合に天幕が引張られて、接続部が外側に張出したり、フードが弛んで上部に雨水が溜まりやすくなる等の不具合を生じるようになる。
【００１２】
【発明の実施の形態】
本発明の実施の形態について添付した図面に基づき説明する。
ここで図１は本発明に係る作業場等を有するエアテントの各構成品を説明するための説明図、図２は同組立状態図、図３はフードの側面の一部を巻上げた状態の説明図、図４は作業場等をトイレ場として利用する場合の説明図、図５は突っ張り棒を伸縮自在にする場合の構成例図である。
【００１３】
本発明に係る作業場等を有するエアテントは、例えば災害時の救難・救助用等に用いられる大型エアテントにおいて、特に雨天時において炊事のような火を取り扱う作業を行ったり、広いスペースを必要とする作業を行ったりするのに便利で、また、必要に応じてトイレ場としても利用出来るようにされ、一対のエアテント間に簡易に作業場等を形成出来るようにされている。
【００１４】
すなわち、図１に示すように、本作業場等を有するエアテントは、一対のエアテント１と、突っ張り棒２と、フード３を備えており、エアテント１間で挟まれる空間部を雨に濡れない作業場等として囲い込むことが出来るようにされている。
【００１５】
前記エアテント１は、空気を出し入れすることで膨張または収縮自在な気柱からなる骨格４と、この骨格４の周囲に被せることの出来る天幕５を備えており、この天幕５の前後面には、出入り口部６が設けられている。
また、各天幕５の前後面の周縁端部には、全周に亘ってファスナー等の接続具７ａが設けられ、また、各天幕５の前後面のうち、上部骨格４の位置に対応する箇所には、環状の係止具８が取り付けられている。
【００１６】
前記突っ張り棒２は、圧縮方向に対して剛性のある素材から構成され、より軽量であることが好ましいことから、本実施例ではアルミ材を使用し、長手方向に沿って平行に延出させた二本の桁材２ａを複数の連結材２ｒで連結して構成している。
そして、各桁材２ａの両側端部には、フック状の連結具９を取り付けており、この連結具９を、前記エアテント１側の係止具８に連結し得るようにされている。
【００１７】
前記フード３は、例えば長さ方向の一辺が突っ張り棒２の長さより僅かに長く、且つ幅方向の他辺がエアテント１の前後面の周縁端部の長さと略同一の矩形状の樹脂シートやゴム引き布や防水帆布やターポリン等の防水素材から構成され、幅方向の辺の両側端部には、前記天幕５側のファスナー等と対になる接続具７ｂが設けられ、この接続具７ｂと天幕５側の接続具７ａとが接続自在にされている。
【００１８】
以上のような構成において、まず、一対のエアテント１の前後方向の出入り口部６を所定の間隔で向き合った状態で対面させ、突っ張り棒２の両側の連結具９を各エアテント１の係止具８に引掛けて連結するとともに、フード３の接続具７ｂをエアテント１の接続具７ａに接続し、両方のエアテント１間の空間部を囲い込むことにより、図２に示すような作業場等Ｓを形成して各エアテント１を固定する。
この際、突っ張り棒２の長さとフード３の長さとを予め適切に調整しておくことにより、突っ張り棒２を取付けた状態でフード３にテンションが与えられるようにしておけば、雨が降った場合でもフード３上に雨水が溜まるような不具合はなく、また、たとえフード３上に雨水が溜まってフード３の重量が増加した場合でも、突っ張り棒２の突っ張り作用によって、エアテント１が内側に倒れ込むような不具合がない。
【００１９】
また、フード３を取付ける際、図３に示すように、フード３の一部を巻上げて側面を開放するようにしても良く、特に火を扱う際に煙が生じるような作業や、いやな臭いの物を取り扱うような作業において煙や臭い等を逃がすことが出来る。また、長い物や大きい物を扱う作業等においても、広いスペースが確保されて便利である。この際、巻き上げたフード３をベルト１１により固定し、巻き上げたフード３が落ちてこないようにすれば、作業の邪魔にならないで済む。
また、作業場等Ｓがエアテント１に近接しているため、夜間等においてエアテント１の照明設備等を利用することも可能である。
【００２０】
ところで、作業場等Ｓをトイレ場とするようにしても良い。
この場合は、図４に示すように、フード３の一部に開閉自在で且つ閉じた時は密閉することの出来る窓ｈを設けておき、この窓ｈを通して換気ダクト１０を通すようにすれば好適である。
【００２１】
尚、上記のような突っ張り棒２を伸縮自在にすると便利である。
ここで、図５は、突っ張り棒２を伸縮自在にした一例であり、長手方向に延出する桁材２ａを、大径のパイプ内に小径のパイプをスライド自在に収納し、（ｂ）に示すように、小径のパイプの張り出し量を変化させて固定具１２で固定することにより、長さを変化させるようにしている。
そしてこの場合は、作業場Ｓ等の領域を自由に変えることが出来るばかりでなく、突っ張り棒２の長さとフード３の長さとの関係が微妙に異なる場合でも、常にフード３にテンションを与えた状態で展張することが出来る。
【００２２】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、フード３とエアテント１の接続構造等は例示であり、また、突っ張り棒２の具体的形態等も任意である。
更に、突っ張り棒２とエアテント１側の連結手段等も任意である。
【００２３】
【発明の効果】
以上のように本発明に係る作業場等を有するエアテントは、前後方向の出入り口部が所定間隔で向き合った状態で設置される一対のエアテントと、各エアテントの対向面上部の骨格部分に張り渡される突っ張り棒と、各エアテントの所定箇所に接続自在なフードを設け、このフードで各エアテント間に挟まれる空間部の少なくとも上部を覆うことにより、覆われた領域を作業場等とするようにしたため、両方のエアテントの出入り口から濡れることなく作業場等に出入りすることが可能で、またフードの下方の作業場等で濡れることなく作業等を行うことが出来る。
この際、エアテントの対向面上部の骨格部分に突っ張り棒を張り渡すようにしているため、フードにテンションがかかってもエアテントが内側に倒れ込むような不具合が防止される。
また、各エアテントとフードの接続部を、各エアテントの対向面の周縁端部付近に設定すれば、フードにテンションがかかっても骨格によってしっかりと支持される。
【図面の簡単な説明】
【図１】本発明に係る作業場等を有するエアテントの各構成品を説明するための説明図
【図２】同組立状態図
【図３】フードの側面の一部を巻上げた状態の説明図
【図４】作業場等をトイレ場として利用する場合の説明図
【図５】突っ張り棒を伸縮自在にする場合の構成例図
【符号の説明】
１…エアテント、２…突っ張り棒、３…フード、４…骨格、５…天幕、６…出入り口、Ｓ…作業場等。
【図１】
2004162397.tif 000003
【図２】
2004162397.tif 000004
【図３】
2004162397.tif 000005
【図４】
2004162397.tif 000006
【図５】
2004162397.tif 000007